【手続補正書】
【提出日】平成24年2月16日(2012.2.16)
【手続補正１】
【補正対象書類名】明細書
【補正対象項目名】０００７
【補正方法】変更
【補正の内容】
【０００７】
請求項１に記載の発明に係る撮像装置は、被写体を撮像して撮像データを取得する画像取得手段と、前記画像取得手段により取得された撮像データの撮像範囲において、特定の被写体の位置を検出する被写体位置検出手段と、前記被写体位置検出手段により検出された前記撮像範囲における前記特定の被写体の位置に基づき、前記画像取得手段により取得された撮像データを検索する検索手段と、を備えることを特徴とする。
【手続補正２】
【補正対象書類名】明細書
【補正対象項目名】０００８
【補正方法】変更
【補正の内容】
【０００８】
請求項２に記載の発明に係る撮像装置は、前記被写体位置検出手段は、追跡すべき被写体の特徴部を特定する特徴部特定手段と、前記画像取得手段により順次取得される撮像データの撮像範囲において、前記特徴部特定手段により特定された前記被写体の特徴部を追跡する被写体追跡手段と、前記画像取得手段により取得された前記撮像データに、前記被写体追跡手段により追跡された前記撮像範囲における前記被写体の特徴部の位置を示す位置情報を付加してデータ記憶手段に記憶する位置情報付加手段と、を備え、前記検索手段は、前記位置情報付加手段により付加された前記位置情報に基づいて、前記データ記憶手段に記憶された前記撮像データを検索することを特徴とする。
【手続補正３】
【補正対象書類名】明細書
【補正対象項目名】０００９
【補正方法】変更
【補正の内容】
【０００９】
請求項３に記載の発明に係る撮像装置は、前記画像取得手段は、被写体を連続的に撮像して複数のフレーム画像からなる動画データを取得し、前記位置情報付加手段は、前記画像取得手段により取得された前記動画データを構成する複数のフレーム画像の各々に、前記被写体追跡手段により追跡された各フレーム画像の撮像範囲における前記被写体の特徴部の位置を示す位置情報を付加してデータ記憶手段に記憶し、前記検索手段は、前記位置情報付加手段により付加された前記位置情報に基づいて、前記データ記憶手段に記憶された動画データ内より特定のフレーム画像を検索する撮像データ検索手段と、を備えることを特徴とする。
【手続補正４】
【補正対象書類名】明細書
【補正対象項目名】００１３
【補正方法】変更
【補正の内容】
【００１３】
請求項７に記載の発明に係る撮像装置は、被写体画像を表示する表示手段と、前記動画データを、前記検索手段により検索した結果に基づき再生して前記表示手段に表示する再生手段と、を備えることを特徴とする。
【手続補正５】
【補正対象書類名】明細書
【補正対象項目名】００１４
【補正方法】変更
【補正の内容】
【００１４】
請求項８に記載の発明に係る撮像装置は、前記表示手段は、前記動画データを表示する領域を複数に分割した複数の表示領域を有し、前記表示手段により表示される前記複数の表示領域のうち、一の表示領域を選択する選択手段と、を備え、前記検索手段は、前記選択手段により選択された一の表示領域に対応する撮像範囲における被写体の位置情報に基づいて、前記動画データ内より特定のフレーム画像を検索することを特徴とする。
【手続補正６】
【補正対象書類名】明細書
【補正対象項目名】００１５
【補正方法】変更
【補正の内容】
【００１５】
請求項９に記載の発明に係る撮像装置は、前記被写体追跡手段により追跡された前記撮像範囲における前記被写体の位置の変化の軌跡を前記表示手段に表示する軌跡表示手段と、前記軌跡表示手段により表示された前記軌跡の中から所定の箇所を選択する軌跡選択手段と、を備え、前記検索手段は、前記軌跡選択手段により選択された前記所定の箇所における前記被写体の位置情報に基づいて、前記動画データ内より特定のフレーム画像を検索することを特徴とする。
【手続補正７】
【補正対象書類名】特許請求の範囲
【補正対象項目名】全文
【補正方法】変更
【補正の内容】
【特許請求の範囲】
【請求項１】
被写体を撮像して撮像データを取得する画像取得手段と、
前記画像取得手段により取得された撮像データの撮像範囲において、特定の被写体の位置を検出する被写体位置検出手段と、
前記被写体位置検出手段により検出された前記撮像範囲における前記特定の被写体の位置に基づき、前記画像取得手段により取得された撮像データを検索する検索手段と、
を備えることを特徴とする撮像装置。
【請求項２】
前記被写体位置検出手段は、
追跡すべき被写体の特徴部を特定する特徴部特定手段と、
前記画像取得手段により順次取得される撮像データの撮像範囲において、前記特徴部特定手段により特定された前記被写体の特徴部を追跡する被写体追跡手段と、
前記画像取得手段により取得された前記撮像データに、前記被写体追跡手段により追跡された前記撮像範囲における前記被写体の特徴部の位置を示す位置情報を付加してデータ記憶手段に記憶する位置情報付加手段と、
を備え、
前記検索手段は、前記位置情報付加手段により付加された前記位置情報に基づいて、前記データ記憶手段に記憶された前記撮像データを検索することを特徴とする請求項１記載の撮像装置。
【請求項３】
前記画像取得手段は、被写体を連続的に撮像して複数のフレーム画像からなる動画データを取得し、
前記位置情報付加手段は、前記画像取得手段により取得された前記動画データを構成する複数のフレーム画像の各々に、前記被写体追跡手段により追跡された各フレーム画像の撮像範囲における前記被写体の特徴部の位置を示す位置情報を付加してデータ記憶手段に記憶し、
前記検索手段は、前記位置情報付加手段により付加された前記位置情報に基づいて、前記データ記憶手段に記憶された動画データ内より特定のフレーム画像を検索する撮像データ検索手段と、を備えることを特徴とする請求項２記載の撮像装置。
【請求項４】
前記被写体追跡手段により追跡されている前記被写体の前記特徴部に基づいて撮影条件を自動設定する撮影条件設定手段を備えることを特徴とする請求項２乃至３記載の撮像装置。
【請求項５】
前記撮影条件設定手段は、前記被写体追跡手段により追跡されている前記被写体の前記特徴部のコントラストに基づいてフォーカス距離を自動設定することを特徴とする請求項４記載の撮像装置。
【請求項６】
前記撮影条件設定手段は、前記被写体追跡手段により追跡されている前記被写体の前記特徴部に基づいて露出条件を自動設定することを特徴とする請求項４記載の撮像装置。
【請求項７】
被写体画像を表示する表示手段と、
前記動画データを、前記検索手段により検索した結果に基づき再生して前記表示手段に表示する再生手段と、を備えることを特徴とする請求項３記載の撮像装置。
【請求項８】
前記表示手段は、前記動画データを表示する領域を複数に分割した複数の表示領域を有し、
前記表示手段により表示される前記複数の表示領域のうち、一の表示領域を選択する選択手段と、
を備え、
前記検索手段は、前記選択手段により選択された一の表示領域に対応する撮像範囲における被写体の位置情報に基づいて、前記動画データ内より特定のフレーム画像を検索することを特徴とする請求項７記載の撮像装置。
【請求項９】
前記被写体追跡手段により追跡された前記撮像範囲における前記被写体の位置の変化の軌跡を前記表示手段に表示する軌跡表示手段と、
前記軌跡表示手段により表示された前記軌跡の中から所定の箇所を選択する軌跡選択手段と、
を備え、
前記検索手段は、前記軌跡選択手段により選択された前記所定の箇所における前記被写体の位置情報に基づいて、前記動画データ内より特定のフレーム画像を検索することを特徴とする請求項７記載の撮像装置。
【請求項１０】
被写体の撮像データを取得する画像取得工程と、
前記画像取得工程により取得された撮像データの撮像範囲において、前記被写体の位置を検出する被写体位置検出工程と、
前記被写体位置検出工程により検出された前記撮像範囲における前記被写体の位置に基づき、前記画像取得工程により取得された撮像データを検索する検索工程と、
を備えることを特徴とする撮像方法。
【請求項１１】
撮像装置が備えるコンピュータを
被写体の撮像データを取得する画像取得手段、
前記画像取得手段により取得された撮像データの撮像範囲において、前記被写体の位置を検出する被写体位置検出手段、
前記被写体位置検出手段により検出された前記撮像範囲における前記被写体の位置に基づき、前記画像取得手段により取得された撮像データを検索する検索手段、
として機能させることを特徴とする撮像プログラム。